(57)【特許請求の範囲】
【請求項１】
流体が流れるパイプ同士を接続するために、それらパイプ端にそれぞれ取り付けられるオス型部材とメス型部材の一方を収容するプラグと、他方を収容するレセプタクルからなる流体カプラ装置であって、
前記レセプタクルは、前記プラグとの接続方向と反対方向に後退可能なフローティング機構を有し、前記プラグとの接続方向にレセプタクル側バネで押されているレセプタクル側スライダと、前記プラグとの結合固定を担う第１のロック機構と、前記後退を規制する第２のロック機構を備え、
前記プラグは、前記レセプタクルとの接続方向に、前記レセプタクル側バネよりも強いプラグ側バネで押されているプラグ側スライダと、前記第１のロック機構がはまり込む窪みを備え、
前記プラグを前記レセプタクルに挿入すると、前記プラグ側スライダは前記第１のロック機構に突き当って前進が規制され、前記プラグ側バネが縮んで前記プラグのみが前進し、
前記オス型部材と前記メス型部材の接続が完了すると、前記第１のロック機構が前記窪みにはまり込み、前記プラグ側スライダは前記規制が解除されて前進し、
前記プラグ側スライダの前進により、前記第１のロック機構がロック状態となって前記プラグと前記レセプタクルが結合固定されると共に、前記レセプタクル側スライダが前記プラグ側スライダに押されて後退し、
前記レセプタクル側スライダの後退により、前記第２のロック機構が解除されて前記レセプタクルが前記フローティング機構により後退する構造とされていることを特徴とする流体カプラ装置。
【請求項２】
請求項１記載の流体カプラ装置において、
前記第１のロック機構は、レセプタクル側壁に前記プラグとの接続方向と交差する方向に移動可能に保持された第１のボールからなり、
前記プラグを前記レセプタクルに挿入すると、前記レセプタクル側壁の内側に挿入されるプラグ側壁によって前記第１のボールが前記レセプタクル側壁の外側に突出するように押し出されて前記レセプタクル側壁の外側に位置する前記プラグ側スライダの前進が規制され、
前記オス型部材と前記メス型部材の接続が完了すると、前記プラグ側壁に形成された前記窪みが前記第１のボールの位置に達し、前記プラグ側スライダにより前記第１のボールが前記レセプタクル側壁の内側に突出するように押し込まれて前記窪みにはまり込む構造とされ、
前記第２のロック機構は、前記レセプタクル側壁に設けられた窪みと、前記レセプタクル側壁の外側に位置するブラケット側壁に前記プラグとの接続方向と交差する方向に移動可能に保持された第２のボールからなり、
前記ブラケット側壁の外側に位置する前記レセプタクル側スライダによって前記第２のボールが前記ブラケット側壁の内側に突出するように押し込まれて前記レセプタクル側壁の窪みにはまり込むことで前記後退が規制され、
前記レセプタクル側スライダの後退により、前記第２のボールが移動可能となって前記第２のロック機構が解除される構造とされていることを特徴とする流体カプラ装置。
【請求項３】
請求項１記載の流体カプラ装置において、
前記第１のロック機構は、円筒が一端側を除いて軸方向に分割されて形成された複数のロック片を有し、それらロック片の先端に内側に向けて突出する凸部が形成されている第１のタングロックからなり、
前記プラグを前記レセプタクルに挿入すると、前記プラグ側のロックシャフトが前記第１のタングロック内に入り、前記複数のロック片が外側に押し広げられて前記ロックシャフトの外側に位置する前記プラグ側スライダの前進が規制され、
前記オス型部材と前記メス型部材の接続が完了すると、前記ロックシャフトの外周に形成された前記窪みに前記第１のタングロックの凸部がはまり込む構造とされ、
前記第２のロック機構は、フローティングシャフトの外周に形成された窪みと、円筒が一端側を除いて軸方向に分割されて形成された複数のロック片を有し、それらロック片の先端に内側に向けて突出する凸部が形成されている第２のタングロックからなり、
前記第２のタングロックの凸部が前記フローティングシャフトの窪みにはまり込み、前記レセプタクル側スライダが前記第２のタングロックに覆いかぶさることで前記後退が規制され、
前記レセプタクル側スライダの後退により、前記第２のタングロックが変位可能となって前記第２のロック機構が解除される構造とされていることを特徴とする流体カプラ装置。
【請求項４】
バックボードに垂直に装着されるドーターボードのインタフェース構造であって、
光コネクタと、請求項１乃至３記載のいずれかの流体カプラ装置のプラグを備え、
前記流体カプラ装置の、前記バックボードに取り付けられたレセプタクルが前記第２のロック機構の解除により後退可能となった後に、前記光コネクタの接続が行われるように、前記プラグと前記光コネクタの取り付け位置が選定されていることを特徴とするドーターボードのインタフェース構造。
【発明の詳細な説明】
【技術分野】
【０００１】
この発明は流体が流れるパイプ同士を接続するために、それらパイプ端にそれぞれ取り付けられるオス型部材とメス型部材の一方を収容するプラグと、他方を収容するレセプタクルからなる流体カプラ装置及びその流体カプラ装置のプラグを備えるドーターボードのインタフェース構造に関する。
【背景技術】
【０００２】
発熱量の大きい装置においては温度上昇を抑えるべく、冷却が必要であり、冷却性能の点から言えば水却方式を用いるのが一般に望ましい。
【０００３】
一方、近年、大容量・長距離伝送を可能とする光通信装置（パケット光トランスポートシステム）の開発が進展しており、このような光通信装置においても発熱量の大きさが問題となっている。光通信装置を例えば水冷するためには光配線と冷却水の配管を行わなくてはならない。
【０００４】
冷却水の配管のために、簡易かつ迅速に管（パイプ）を接続することができる流体カプラは普及しているが、このような流体カプラは接続操作のために例えば３０Ｎ（約３ｋｇｆ）という大きな押し込み力を必要とするものとなっている（例えば、非特許文献１参照）。
【０００５】
このような３０Ｎという大きな力には光コネクタは耐えられないため、例えば光コネクタと流体カプラを同一のドーターボード上に実装してバックボードに一括接続するといった方式を光通信装置において採用したいと考えても、そのような方式を採用することはできなかった。そのため、従来の光通信装置においては空冷が主流となっており、水冷方式を採用するためには光配線とは別個に冷却水配管を行い、光コネクタの接続と流体カプラの接続を別々に行わなければならなかった。
【先行技術文献】
【非特許文献】
【０００６】
【非特許文献１】「ＣＧＯ／ＣＧＤ」カタログ，ストーブリ（ＳＴＡＵＢＬＩ）社，２０１１年４月５日
【発明の概要】
【発明が解決しようとする課題】
【０００７】
上述したように、従来においては光通信装置において光コネクタと流体カプラを同一のドーターボード上に実装してバックボードに一括接続するといった方式を採用することはできず、光コネクタの接続と流体カプラの接続を別々に行わなければならなかったので、作業性が悪く、不便であった。
【０００８】
この発明の目的はこの問題に鑑み、例えば光コネクタなどの大きな押し込み力に耐えられないコネクタとの併設、一括接続を可能とし、その点で作業性を大幅に向上させることができる流体カプラ装置を提供することにあり、さらにそのような流体カプラ装置を備えるドーターボードのインタフェース構造を提供することにある。
【課題を解決するための手段】
【０００９】
請求項１の発明によれば、流体が流れるパイプ同士を接続するために、それらパイプ端にそれぞれ取り付けられるオス型部材とメス型部材の一方を収容するプラグと、他方を収容するレセプタクルからなる流体カプラ装置において、レセプタクルはプラグとの接続方向と反対方向に後退可能なフローティング機構を有し、プラグとの接続方向にレセプタクル側バネで押されているレセプタクル側スライダと、プラグとの結合固定を担う第１のロック機構と、前記後退を規制する第２のロック機構を備え、プラグはレセプタクルとの接続方向にレセプタクル側バネよりも強いプラグ側バネで押されているプラグ側スライダと、第１のロック機構がはまり込む窪みを備え、プラグをレセプタクルに挿入すると、プラグ側スライダは第１のロック機構に突き当って前進が規制され、プラグ側バネが縮んでプラグのみが前進し、オス型部材とメス型部材の接続が完了すると、第１のロック機構が、前記窪みにはまり込み、プラグ側スライダは前記規制が解除されて前進し、プラグ側スライダの前進により、第１のロック機構がロック状態となってプラグとレセプタクルが結合固定されると共に、レセプタクル側スライダがプラグ側スライダに押されて後退し、レセプタクル側スライダの後退により、第２のロック機構が解除されてレセプタクルがフローティング機構により後退する構造とされる。
【００１０】
請求項２の発明では請求項１の発明において、第１のロック機構はレセプタクル側壁にプラグとの接続方向と交差する方向に移動可能に保持された第１のボールからなり、プラグをレセプタクルに挿入すると、レセプタクル側壁の内側に挿入されるプラグ側壁によって第１のボールがレセプタクル側壁の外側に突出するように押し出されてレセプタクル側壁の外側に位置するプラグ側スライダの前進が規制され、オス型部材とメス型部材の接続が完了すると、プラグ側壁に形成された前記窪みが第１のボールの位置に達し、プラグ側スライダにより第１のボールがレセプタクル側壁の内側に突出するように押し込まれて前記窪みにはまり込む構造とされ、第２のロック機構はレセプタクル側壁に設けられた窪みと、レセプタクル側壁の外側に位置するブラケット側壁にプラグとの接続方向と交差する方向に移動可能に保持された第２のボールからなり、ブラケット側壁の外側に位置するレセプタクル側スライダによって第２のボールがブラケット側壁の内側に突出するように押し込まれてレセプタクル側壁の窪みにはまり込むことで前記後退が規制され、レセプタクル側スライダの後退により、第２のボールが移動可能となって第２のロック機構が解除される構造とされる。
【００１１】
請求項３の発明では請求項１の発明において、第１のロック機構は円筒が一端側を除いて軸方向に分割されて形成された複数のロック片を有し、それらロック片の先端に内側に向けて突出する凸部が形成されている第１のタングロックからなり、プラグをレセプタクルに挿入すると、プラグ側のロックシャフトが第１のタングロック内に入り、複数のロック片が外側に押し広げられてロックシャフトの外側に位置するプラグ側スライダの前進が規制され、オス型部材とメス型部材の接続が完了すると、ロックシャフトの外周に形成された前記窪みに第１のタングロックの凸部がはまり込む構造とされ、第２のロック機構はフローティングシャフトの外周に形成された窪みと、円筒が一端側を除いて軸方向に分割されて形成された複数のロック片を有し、それらロック片の先端に内側に向けて突出する凸部が形成されている第２のタングロックからなり、第２のタングロックの凸部がフローティングシャフトの窪みにはまり込み、レセプタクル側スライダが第２のタングロックに覆いかぶさることで前記後退が規制され、レセプタクル側スライダの後退により、第２のタングロックが変位可能となって第２のロック機構が解除される構造とされる。
【００１２】
請求項４の発明によれば、バックボードに垂直に装着されるドーターボードのインタフェース構造は、光コネクタと、請求項１乃至３記載のいずれかの流体カプラ装置のプラグとを備え、流体カプラ装置の、バックボードに取り付けられているレセプタクルが第２のロック機構の解除により後退可能となった後に、光コネクタの接続が行われるようにプラグと光コネクタの取り付け位置が選定されているものとされる。
【発明の効果】
【００１３】
この発明による流体カプラ装置によれば、プラグとレセプタクルが結合し、オス型部材とメス型部材の接続が完了した後に、レセプタクルがフローティング機構により後退する構造となっている。よって、この後退を利用することによって他のコネクタ等の接続を行うことができ、例えば光コネクタなどの大きな押し込み力に耐えられないコネクタとの併設、一括接続が可能となる。従って、作業性を大幅に向上させることができ、利便性に優れた流体カプラ装置を提供することができる。
【図面の簡単な説明】
【００１４】
【図１】Ａはこの発明による流体カプラ装置の第１の実施例におけるプラグを示す正面側から見た斜視図、Ｂはその背面側から見た斜視図。
【図２】Ａは図１に示したプラグの正面図、Ｂはその側面図、Ｃはその断面図。
【図３】Ａは図１に示したプラグにおけるハウジングの正面側から見た斜視図、Ｂはその背面側から見た斜視図。
【図４】Ａは図３に示したハウジングの側面図、Ｂはその断面図。
【図５】Ａは図１に示したプラグにおけるブラケットの正面側から見た斜視図、Ｂはその背面側から見た斜視図。
【図６】Ａは図１に示したプラグにおけるプラグ側スライダの正面図、Ｂはその平面図、Ｃはその側面図、Ｄはその断面図。
【図７】Ａは図１に示したプラグにおけるプレートの正面図、Ｂはその断面図。
【図８】Ａはこの発明による流体カプラ装置の第１の実施例におけるレセプタクルを示す正面側から見た斜視図、Ｂはその背面側から見た斜視図。
【図９】Ａは図８に示したレセプタクルの正面図、Ｂはその側面図、Ｃはその底面図。
【図１０】Ａは図９ＢのＥＥ線断面図、Ｂは図９ＡのＦＦ線断面図。
【図１１】Ａは図８に示したレセプタクルにおけるハウジングの正面側から見た斜視図、Ｂはその背面側から見た斜視図。
【図１２】Ａは図１１に示したハウジングの正面図、Ｂはその側面図、Ｃはその底面図。
【図１３】Ａは図１２ＢのＥＥ線断面図、Ｂは図１２ＢのＦＦ線断面図、Ｃは図１２ＡのＧＧ線断面図、ＤはＢのＰ部拡大図。
【図１４】Ａは図９に示したレセプタクルにおけるブラケットの正面側から見た斜視図、Ｂはその背面側から見た斜視図、Ｃはその断面図、ＤはＣのＱ部拡大図。
【図１５】Ａは図９に示したレセプタクルにおけるレセプタクル側スライダの正面図、Ｂはその平面図、Ｃはその側面図、Ｄはその断面図。
【図１６】Ａは図９に示したレセプタクルにおけるプレートの正面図、Ｂはその断面図。
【図１７】図９に示したレセプタクルにおけるシャッタ機構の斜視図。
【図１８】この発明による流体カプラ装置の第１の実施例の嵌合動作を説明するための図（その１）。
【図１９】この発明による流体カプラ装置の第１の実施例の嵌合動作を説明するための図（その２）。
【図２０】この発明による流体カプラ装置の第１の実施例の嵌合動作を説明するための図（その３）。
【図２１】この発明による流体カプラ装置の第１の実施例のフローティング状態を示す図（その１）。
【図２２】この発明による流体カプラ装置の第１の実施例のフローティング状態を示す図（その２）。
【図２３】この発明による流体カプラ装置の第１の実施例の離脱動作を説明するための図。
【図２４】Ａはこの発明による流体カプラ装置の第２の実施例におけるプラグを示す正面側から見た斜視図、Ｂはその背面側から見た斜視図。
【図２５】Ａは図２４に示したプラグの正面図、Ｂはその縦断面図、Ｃはその横断面図。
【図２６】Ａは図２４に示したプラグにおけるハウジングの正面側から見た斜視図、Ｂはその背面側から見た斜視図。
【図２７】Ａは図２４に示したプラグにおけるリッドの斜視図、Ｂは図２４に示したプラグにおけるブラケットの斜視図。
【図２８】Ａはこの発明による流体カプラ装置の第２の実施例におけるレセプタクルの正面側から見た斜視図、Ｂはその背面側から見た斜視図。
【図２９】Ａは図２８に示したレセプタクルの正面図、Ｂはその縦断面図、Ｃはその横断面図。
【図３０】Ａは図２８に示したレセプタクルにおけるハウジングの正面側から見た斜視図、Ｂはその背面側から見た斜視図。
【図３１】Ａは図２８に示したレセプタクルにおけるブラケットの正面側から見た斜視図、Ｂはその背面側から見た斜視図。
【図３２】図２８に示したレセプタクルにおける第１のタングロック、タングロック受け、第２のタングロック及びレセプタクル側スライダを示す斜視図。
【図３３】この発明による流体カプラ装置の第２の実施例の嵌合動作を説明するための図。
【発明を実施するための形態】
【００１５】
この発明の実施形態を図面を参照して実施例により説明する。
【００１６】
［第１の実施例］
図１及び２はこの発明による流体カプラ装置の第１の実施例におけるプラグの構成を示したものであり、図３〜７はその構成部品（一部を除く）を示したものである。この例ではプラグ１００はハウジング１１と、ブラケット１２と、２つのプラグ側スライダ１３と、２つのプレート１４と、２つのプラグ側バネ１５と、２本のパイプ１６と、２つのＯリング１７と、２つのオス型部材１８とによって構成されている。
【００１７】
ハウジング１１は図３及び４に示したように略直方体のブロック状をなし、その前面１１ａには前面１１ａをほぼ占有する大きさの方形の開口１１ｂが形成されている。ハウジング１１内には開口１１ｂに連通してオス型部材１８を収容する２つの収容穴１１ｃが形成され、さらにこれら収容穴１１ｃに続いてハウジング１１の背面１１ｄに開口する穴１１ｅが形成されている。穴１１ｅの開口端にはＯリング１７を配置するための凹部１１ｆが形成されている。
【００１８】
ハウジング１１の前方側において両側壁１１ｇ，１１ｈの外面には上下方向に延伸する窪み１１ｉがそれぞれ形成されており、窪み１１ｉは底面が狭い断面台形状をなすものとされている。
【００１９】
ハウジング１１の後方側は前方側より外形が大とされており、この部分における両側壁１１ｊ，１１ｋには背面１１ｄに至る凹部１１ｍがそれぞれ形成され、さらに凹部１１ｍの背面１１ｄ寄りには凹部１１ｍより上下に突き出るように溝１１ｎがそれぞれ形成されている。なお、凹部１１ｍの底面部分には上下方向に幅広とされて幅広部１１ｐが設けられている。
【００２０】
ブラケット１２は図５に示したように金属板が折り曲げられて形成されて枠状をなし、底板部１２ａと両側板部１２ｂ，１２ｃと上板部１２ｄを有する。底板部１２ａは上板部１２ｄより面積大とされており、底板部１２ａにはバーリング加工が施されて大径のねじ穴１２ｅと小径のねじ穴１２ｆが各２つ形成されている。これらねじ穴１２ｅ，１２ｆはプラグ１００の実装用に使用される。
【００２１】
両側板部１２ｂ，１２ｃには方形の窓１２ｇがそれぞれ形成されており、また両側板部１２ｂ，１２ｃの後端には互いに内向きに折り曲げられてなる折り曲げ部１２ｈが形成されている。
【００２２】
プラグ側スライダ１３は図６に示したような形状とされ、略方形状をなす平板部１３ａと、その平板部１３ａの先端から突出延長された幅狭の突出部１３ｂと、平板部１３ａの後端から垂直に突出された幅狭の垂直突出部１３ｃと、平板部１３ａの後端側において垂直突出部１３ｃと反対側に突出された突部１３ｄとを有する。突部１３ｄには後方側に開口する円形の穴１３ｅが形成されており、また突部１３ｄの突出端面側には上下方向に突出されて幅広とされた幅広部１３ｆが形成されている。なお、突出部１３ｂの先端は４辺が面取りされて先細形状とされており、また突部１３ｄが突出している側において平板部１３ａの先端にはテーパ面１３ｇが形成されている。
【００２３】
プレート１４は図７に示したように方形板とされ、その中央には円形の凹部１４ａが形成されている。なお、上端及び下端は４辺が面取りされて先鋭化されている。
【００２４】
次に、プラグ１００の組立構造について説明する。
【００２５】
ハウジング１１の２つの収容穴１１ｃにはそれぞれ流体カプラのオス型部材１８が収容されて取り付けられる。オス型部材１８はこの例ではストーブリ社カタログ記載の流体カプラＣＧＯ  ０３／Ｃのプラグとされる。ハウジング１１の背面１１ｄには２つの穴１１ｅにそれぞれ一致させてパイプ１６が取り付けられる。パイプ１６とオス型部材１８は穴１１ｅを介して連通される。なお、パイプ１６を取り付ける際、凹部１１ｆにはＯリング１７が配置される。
【００２６】
プラグ側スライダ１３はハウジング１１の背面１１ｄ側から突部１３ｄがハウジング１１の凹部１１ｍに挿入されてハウジング１１の両側壁１１ｊ，１１ｋにそれぞれ取り付けられる。突部１３ｄの幅広部１３ｆは凹部１１ｍの幅広部１１ｐに挿入されて位置される。プラグ側スライダ１３の平板部１３ａ及び突出部１３ｂはハウジング１１の前方側の側壁１１ｇ，１１ｈと所定量離間して位置され、突出部１３ｂはハウジング１１の前方方向に向いて位置される。
【００２７】
ハウジング１１の両側壁１１ｊ，１１ｋの溝１１ｎにはプレート１４がそれぞれ嵌め込まれ、これらプレート１４とプラグ側スライダ１３の突部１３ｄとの間にコイルバネよりなるプラグ側バネ１５が入れ込まれる。プラグ側バネ１５の一端はプレート１４の凹部１４ａに位置して位置決めされ、他端はプラグ側スライダ１３の穴１３ｅに収容されて位置決めされる。プラグ側バネ１５によりプラグ側スライダ１３はハウジング１１の前方方向（レセプタクルとの接続方向）に押されている。
【００２８】
ブラケット１２はハウジング１１の外形が大とされた後方側を囲むようにハウジング１１のまわりに配置される。プラグ側スライダ１３の垂直突出部１３ｃはブラケット１２の側板部１２ｂ，１２ｃの窓１２ｇにそれぞれ位置して側板部１２ｂ，１２ｃの外側にそれぞれ突出される。
【００２９】
上記のような構成において、ハウジング１１及びパイプ１６は例えばアルミニウム合金製とされ、ブラケット１２、プラグ側スライダ１３、プレート１４及びプラグ側バネ１５はそれぞれステンレス鋼製とされる。なお、ハウジング１１にはニッケルめっきが施される。
【００３０】
次に、上述したプラグ１００と嵌合されるレセプタクル２００の構成について説明する。
【００３１】
図８〜１０はレセプタクル２００の構成を示したものであり、図１１〜１７はその構成部品（一部を除く）を示したものである。この例ではレセプタクル２００はハウジング２１と、ブラケット２２と、２つのレセプタクル側スライダ２３と、２つのプレート２４と、２つのレセプタクル側バネ２５と、バネ２６と、２本のパイプ２７と、２つのＯリング２８と、ガスケット２９と、第１及び第２各４つのボール３１，３２と、２本のねじ３３と、２つのメス型部材３４と、防塵用の一対のシャッタ機構４０とによって構成されている。
【００３２】
ハウジング２１は図１１〜１３に示したように略直方体のブロック状をなし、その前面２１ａには前面２１ａをほぼ占有する大きさの方形の開口２１ｂが形成されている。ハウジング２１内には開口２１ｂに連通してメス型部材３４を収容する２つの収容穴２１ｃが形成され、さらにこれら収容穴２１ｃに続いてハウジング２１の背面２１ｄに開口する穴２１ｅが形成されている。穴２１ｅの開口端にはＯリング２８を配置するための凹部２１ｆが形成されている。
【００３３】
ハウジング２１の前面２１ａ側は背面２１ｄ側に対して外形が大とされており、この部分の両側壁２１ｇ，２１ｈの外面には側壁２１ｇ，２１ｈとの間に上下方向に細長い隙間２１ｉをそれぞれ形成するように突出部２１ｊがそれぞれ突出形成されている。さらに、突出部２１ｊより後方側の両側壁２１ｇ，２１ｈには上下方向に配列されて各２つの穴２１ｋが貫通形成されている。穴２１ｋは図１３Ｄに拡大して示したように内面側がわずかに小径とされている。
【００３４】
ハウジング２１の背面２１ｄ側の両側壁２１ｍ，２１ｎには上下方向に延伸する窪み２１ｐがそれぞれ形成されており、窪み２１ｐは底面が狭い断面台形状をなすものとされている。また、両側壁２１ｍ，２１ｎの窪み２１ｐより背面２１ｄ側には背面２１ｄに至る凹部２１ｑがそれぞれ形成され、さらに凹部２１ｑの背面２１ｄ寄りには凹部２１ｑより上下に突き出るように溝２１ｒがそれぞれ形成されている。
【００３５】
ハウジング２１の底面２１ｓの背面２１ｄ寄りには座ぐり穴付きのねじ穴２１ｔが幅方向に配列されて２つ形成され、さらに幅方向中央には凹部２１ｕが背面２１ｄに至るように形成されている。なお、背面２１ｄには底面２１ｓに近接するように円形の穴２１ｖが形成されており、この穴２１ｖの一部は凹部２１ｕによって底面２１ｓ側に解放されている。
【００３６】
ブラケット２２は図１４に示したように金属板が折り曲げられて形成されて枠状をなし、底板部２２ａと上板部２２ｂとをつなぐ両側壁２２ｃ，２２ｄは前方部２２ｃ１，２２ｄ１と中間部２２ｃ２，２２ｄ２と後方部２２ｃ３，２２ｄ３の３つの部分よりなる。前方部２２ｃ１，２２ｄ１の前端には互いに外向きに折り曲げられてなる取り付け部２２ｅがそれぞれ形成されており、取り付け部２２ｅには取り付け穴２２ｆがそれぞれ形成されている。取り付け穴２２ｆはレセプタクル２００の実装用に使用される。前方部２２ｃ１，２２ｄ１の後端側中央には切り欠き２２ｇがそれぞれ形成されており、切り欠き２２ｇの上辺及び下辺はそれぞれ内向きに折り曲げられている。
【００３７】
中間部２２ｃ２，２２ｄ２は前方部２２ｃ１，２２ｄ１及び後方部２２ｃ３，２２ｄ３より内側に位置し、これにより前方部２２ｃ１，２２ｄ１及び後方部２２ｃ３，２２ｄ３との各間には上下に細長い隙間２２ｈ，２２ｉがそれぞれ形成されている。中間部２２ｃ２，２２ｄ２には上下方向に配列されて穴２２ｊがそれぞれ２つ形成されている。穴２２ｊは図１４Ｄに拡大して示したように内面側がわずかに小径とされている。
【００３８】
底板部２２ａの後端中央にはフック２２ｋが曲げ起こされて形成されており、さらに後端寄りに２つの長円穴２２ｍが幅方向に配列されて形成されている。
【００３９】
レセプタクル側スライダ２３は図１５に示したような形状とされ、方形をなす平板部２３ａと、その平板部２３ａの先端から突出延長された細長い突出部２３ｂと、平板部２３ａの後端側の一方の板面に突出された突部２３ｃとを有する。突部２３ｃには後方側に開口する円形の穴２３ｄが形成されている。なお、突部２３ｃが突出している側において平板部２３ａの先端にはテーパ面２３ｅが形成されている。
【００４０】
プレート２４は図１６に示したように方形板とされ、その板面には円形の凹部２４ａが形成されている。なお、上端及び下端は面取りされて先鋭化されている。
【００４１】
シャッタ機構４０は図１７に示したような構成とされる。固定板４１と開閉板４２はピン４３を介して連結されており、ピン４３の両端にはねじりコイルバネ４４が取り付けられている。開閉板４２はその前面が押されると、シャッタは開いた状態となる。押圧力が解除されるとねじりコイルバネ４４の復元力により開閉板４２は元の位置に復帰し、シャッタは閉じた状態となる。
【００４２】
次に、レセプタクル２００の組立構造について説明する。
【００４３】
ハウジング２１の２つの収容穴２１ｃにはそれぞれ流体カプラのメス型部材３４が収容されて取り付けられる。メス型部材３４はこの例ではストーブリ社カタログ記載の流体カプラＣＧＯ  ０３／Ｃのソケットとされる。なお、開口２１ｂの内部底面にはガスケット２９が配設される。
【００４４】
ハウジング２１の背面２１ｄには２つの穴２１ｅにそれぞれ一致させてパイプ２７が取り付けられる。パイプ２７とメス型部材３４は穴２１ｅを介して連通される。なお、パイプ２７を取り付ける際、凹部２１ｆにはＯリング２８が配置される。ハウジング２１の底面２１ｓの２つのねじ穴２１ｔにはねじ３３が取り付けられる。ねじ３３のねじ頭は底面２１ｓより突出される。
【００４５】
一対のシャッタ機構４０はハウジング２１の側壁２１ｇ，２１ｈに、突出部２１ｊの上下にそれぞれ位置して貫通形成された長穴２１ｗに固定板４１の幅方向両端がそれぞれ挿入支持されてハウジング２１に取り付けられる。
【００４６】
ハウジング２１の４つの穴２１ｋにはそれぞれ第１のボール３１を入れ込む。第１のボール３１を入れ込んだ後、穴２１ｋの周縁を複数箇所かしめ、かしめにより穴２１ｋの径を狭めることで第１のボール３１は穴２１ｋの貫通方向に移動可能に穴２１ｋに保持される。ブラケット２２の４つの穴２２ｊにもそれぞれ第２のボール３２を入れ込む。第２のボール３２を入れ込んだ後、穴２２ｊの周縁をかしめ、かしめにより穴２２ｊの径を狭めることで第２のボール３２は穴２２ｊの貫通方向に移動可能に穴２２ｊに保持される。
【００４７】
ブラケット２２はハウジング２１を囲むようにハウジング２１のまわりに配置される。この際、ブラケット２２とハウジング２１の間にレセプタクル側スライダ２３とプレート２４とレセプタクル側バネ２５が介在され、さらにバネ２６が介在される。
【００４８】
バネ２６はコイルバネとされ、その一端がブラケット２２のフック２２ｋに係止され、他端側はハウジング２１の穴２１ｖに挿入される。ハウジング２１はバネ２６により前方方向に押されている。
【００４９】
レセプタクル側スライダ２３はその突部２３ｃがハウジング２１の両側壁２１ｍ，２１ｎの凹部２１ｑに位置される。レセプタクル側スライダ２３の平板部２３ａはブラケット２２の隙間２２ｉを通ってブラケット２２の両側壁２２ｃ，２２ｄの中間部２２ｃ２，２２ｄ２の外側に至り、突出部２３ｂはブラケット２２の隙間２２ｈを通って、ハウジング２１の両側壁２１ｇ，２１ｈの外側に位置され、つまり両側壁２１ｇ，２１ｈとブラケット２２の間に位置される。突出部２３ｂはハウジング２１の前方方向に向いて位置される。
【００５０】
ハウジング２１の両側壁２１ｍ，２１ｎの溝２１ｒにはプレート２４がそれぞれ嵌め込まれ、これらプレート２４とレセプタクル側スライダ２３の突部２３ｃとの間にコイルバネよりなるレセプタクル側バネ２５が入れ込まれる。レセプタクル側バネ２５の一端はプレート２４の凹部２４ａに位置して位置決めされ、他端はレセプタクル側スライダ２３の穴２３ｄに収容されて位置決めされる。レセプタクル側バネ２５によりレセプタクル側スライダ２３はハウジング２１の前方方向（プラグ１００との接続方向）に押されている。なお、レセプタクル側バネ２５はプラグ側バネ１５よりも弱いものとされる。
【００５１】
上記のような構成において、ハウジング２１及びパイプ２７は例えばアルミニウム合金製とされ、ブラケット２２、レセプタクル側スライダ２３、プレート２４、レセプタクル側バネ２５、バネ２６、第１及び第２のボール３１，３２、ねじ３３及びシャッタ機構４０の各部品はそれぞれステンレス鋼製とされる。なお、ハウジング２１にはニッケルめっきが施される。
【００５２】
レセプタクル２００はこの例ではハウジング２１の側壁２１ｇ，２１ｈの穴２１ｋにプラグ１００との接続方向と交差する方向に移動可能に保持された第１のボール３１からなる第１のロック機構を備え、この第１のロック機構の第１のボール３１はプラグ１００のハウジング１１に形成されている窪み１１ｉにはまり込むことでプラグ１００との結合固定を担うものとなっている。
【００５３】
また、レセプタクル２００はハウジング２１の側壁２１ｍ，２１ｎに設けられた窪み２１ｐと、ハウジング２１の側壁２１ｍ，２１ｎの外側に位置するブラケット２２の側壁２２ｃ，２２ｄの中間部２２ｃ２，２２ｄ２に、プラグ１００との接続方向と交差する方向に移動可能に保持された第２のボール３２からなる第２のロック機構を備え、この第２のロック機構はブラケット２２に対してハウジング２１がプラグ１００との接続方向と反対方向に後退することを規制し、つまりレセプタクル２００のフローティング機構の作動を規制するものとなっている。
【００５４】
次に、上述したプラグ１００とレセプタクル２００とよりなる流体カプラ装置の嵌合動作を図１８〜２０を参照して順に説明する。なお、図１８〜２０中、３００はプラグ１００が取り付けられているドーターボードを示し、４００はレセプタクル２００が取り付けられているバックボードを示す。ドーターボード３００はバックボード４００に垂直に装着される。
【００５５】
（１）レセプタクル２００は第２のボール３２がブラケット２２の側壁２２ｃ，２２ｄの中間部２２ｃ２，２２ｄ２の外側に位置するレセプタクル側スライダ２３の平板部２３ａによって中間部２２ｃ２，２２ｄ２の内側に突出するように押し込まれてハウジング２１の側壁２１ｍ，２１ｎに形成されている窪み２１ｐにはまり込んだ状態（初期状態）となっており、これによりハウジング２１はブラケット２２に固定され、後退が規制されている。
【００５６】
このレセプタクル２００にプラグ１００を挿入すると、プラグ１００のハウジング１１はレセプタクル２００のハウジング２１の開口２１ｂに挿入され、プラグ側スライダ１３はハウジング２１に形成されている隙間２１ｉに挿入される（図１８）。プラグ１００の挿入によりシャッタ機構４０の開閉板４２が押されて開く。
【００５７】
（２）レセプタクル２００のハウジング２１の側壁２１ｇ，２１ｈの内側に挿入されるプラグ１００のハウジング１１の側壁１１ｇ，１１ｈによって第１のボール３１が側壁２１ｇ，２１ｈの外側に突出するように押し出される。これにより、側壁２１ｇ，２１ｈの外側に挿入されてくるプラグ側スライダ１３はその平板部１３ａが第１のボール３１に突き当って前進が規制され、プラグ側バネ１５が縮んでプラグ１００のハウジング１１のみが前進する（図１９）。
【００５８】
（３）プラグ１００のハウジング１１が前進し、オス型部材１８とメス型部材３４の接続が完了した時点でプラグ１００のハウジング１１の側壁１１ｇ，１１ｈに形成されている窪み１１ｉが第１のボール３１の位置に達する。第１のボール３１はプラグ側スライダ１３の平板部１３ａによりハウジング２１の側壁２１ｇ，２１ｈの内側に突出するように押し込まれて窪み１１ｉにはまり込む。これにより、プラグ側スライダ１３は規制が解除され、プラグ側バネ１５によって押されて前進する。
【００５９】
（４）プラグ側スライダ１３の前進により、第１のボール３１はプラグ側スライダ１３の平板部１３ａによって内側に押さえられる。これにより第１のボール３１よりなる第１のロック機構はロック状態となり、プラグ１００のハウジング１１とレセプタクル２００のハウジング２１が結合固定される。プラグ側スライダ１３はレセプタクル側スライダ２３に突き当り、レセプタクル側スライダ２３はプラグ側スライダ１３に押されて後退する（図２０）。
【００６０】
（５）レセプタクル側スライダ２３の後退により、レセプタクル側スライダ２３によって内側に押さえられていた第２のボール３２は外側に移動可能となり、つまりブラケット２２の外面に突出可能となる。これにより第２のロック機構は解除される。レセプタクル２００のハウジング２１はブラケット２２に対して後退可能となり、結合されているプラグ１００のハウジング１１と共にフローティング状態となる。
【００６１】
図２１及び２２はプラグ１００とレセプタクル２００のフローティング状態をそれぞれ示したものであり、図２１はフローティングできる範囲の丁度中央に位置している状態を示す。また、図２２はレセプタクル２００が最も後退した状態を示す。
【００６２】
レセプタクル２００のハウジング２１の底面２１ｓに取り付けられたねじ３３のねじ頭はブラケット２２の長円穴２２ｍの中に位置しており、これによりフローティング量が規定されている。つまり、ねじ３３のねじ頭が長円穴２２ｍ内を前後方向に動きうる量がフローティング量となる。
【００６３】
このようなフローティングによりバッグボード３００の板面とドーターボード４００の先端面の距離（ボード間距離）は図２０〜２２にそれぞれ示したようにＬ１→Ｌ２→Ｌ３となる。Ｌ１は第２のロック機構が解除され、フローティング可能となった時の距離であり、Ｌ３は最大後退時（最大フローティング時）の距離である。これらＬ１，Ｌ２，Ｌ３の具体的数値を例示すれば、
Ｌ１＝１５．３ｍｍ      Ｌ２＝１２．８ｍｍ      Ｌ３＝１０．３ｍｍ
であり、つまりこの例ではフローティング量は５ｍｍとなっている。
【００６４】
次に、レセプタクル２００からのプラグ１００の離脱動作について図２３を参照して説明する。
【００６５】
プラグ１００が取り付けられているドーターボード３００を後退させると、ドーターボード３００と共にブラケット１２が後退する。これによりプラグ側スライダ１３の垂直突出部１３ｃがブラケット１２の窓１２ｇの前辺に突き当ってプラグ側スライダ１３がブラケット１２と共に後退する。この時、プラグ側バネ１５は縮む。
【００６６】
プラグ側スライダ１３の後退により第１のボール３１が外側に移動可能となり、第１のロック機構が解除され、プラグ１００はレセプタクル２００から離脱する。離脱後はプラグ側バネ１５の復元力によりプラグ側スライダ１３は元の位置に復帰する。
【００６７】
一方、プラグ側スライダ１３の後退に伴い、レセプタクル側スライダ２３はレセプタクル側バネ２５に押されて前進し、プラグ１００の離脱に伴い、レセプタクル２００のハウジング２１はバネ２６に押されて元の位置に復帰する。第２のボール３２はレセプタクル側スライダ２３によってハウジング２１の窪み２１ｐは押し込まれ、これによりハウジング２１はブラケット２２に固定されて後退が規制された初期状態に戻る。
【００６８】
［第２の実施例］
図２４及び２５はこの発明による流体カプラ装置の第２の実施例におけるプラグの構成を示したものであり、この例ではプラグ５００は２つのハウジング５１と、ブラケット５２と、リッド５３と、ロックシャフト５４と、ロックシャフト受け５５と、プラグ側スライダ５６と、プラグ側バネ５７と、４本のパイプ５８と、２つのガスケット５９と、４つのＯリングと、４つのオス型部材とによって構成されている。なお、Ｏリング及びオス型部材の図示は省略している。オス型部材は第１の実施例と同様、ストーブリ社カタログ記載の流体カプラＣＧＯ  ０３／Ｃのプラグが使用される。
【００６９】
ハウジング５１は図２６に示したように直方体状をなす。前面５１ａには前面５１ａをほぼ占有する大きさの開口５１ｂが形成されており、ハウジング５１内には開口５１ｂに連通してオス型部材を収容する２つの収容穴５１ｃ（図２５ｃ参照）が形成され、さらにこれら収容穴５１ｃに続いてハウジング５１の背面５１ｄに開口する穴５１ｅが形成されている。穴５１ｅの開口端にはＯリングが配置される凹部５１ｆが形成されている。
【００７０】
ハウジング５１の前面５１ａ側の外周にはガスケット５９を配設するための溝５１ｇが全周に渡って形成されている。また背面５１ｄ側の両側壁には上下方向に溝５１ｈがそれぞれ形成されている。
【００７１】
ブラケット５２及びブラケット５２の上面を蓋するリッド５３は図２７に示したような形状を有するものとされる。ブラケット５２は底板部５２ａと側壁５２ｂ，５２ｃと中央突出部５２ｄとを有する。中央突出部５２ｄは左右の側板５２ｅ，５２ｆと背面板５２ｇとを備え、側板５２ｅ，５２ｆの前端には互いに外向きに突出されて突部５２ｈがそれぞれ形成されている。また、背面板５２ｇと平行な仕切り板５２ｉが側板５２ｅ，５２ｆ間に設けられている。
【００７２】
仕切り板５２ｉには長円切り欠き５２ｊが形成され、仕切り板５２ｉが位置する部分において側板５２ｅ，５２ｆの外面にはそれぞれ突部５２ｋが形成されている。突部５２ｈ，５２ｋと側板５２ｅ及び５２ｆとによってそれぞれ形成される凹部５２ｍに対向して側壁５２ｂ，５２ｃには凹部５２ｎがそれぞれ形成されている。なお、底板部５２ａの中央には前方に突出延長された延長部５２ｐが形成され、延長部５２ｐの先端側には一対の突起５２ｑが形成されている。
【００７３】
リッド５３は平板状をなし、ブラケット５２の上面に配置されてブラケット５２を蓋する形状とされる。
【００７４】
ハウジング５１には図示を省略しているが、前述した第１の実施例と同様、２つの収容穴５１ｃにそれぞれ流体カプラのオス型部材が収容されて取り付けられ、背面５１ｄの２つの凹部５１ｆにはＯリングが配置されて２本のパイプ５８が取り付けられる。また、外周の溝５１ｇにはガスケット５９が位置されて取り付けられる。
【００７５】
この例ではブラケット５２にハウジング５１が２つ配置される。ハウジング５１は図２５Ｃに示したようにブラケット５２に取り付けられる。即ち、ブラケット５２の凹部５２ｍ，５２ｎ間にハウジング５１の溝５１ｈより後方側が収容位置され、ブラケット５２の突部５２ｈ及び側壁５２ｂ，５２ｃの突部５２ｈと対向する部分がハウジング５１の溝５１ｈに位置されて取り付けられる。
【００７６】
一方、ブラケット５２の中央にはロックシャフト５４、ロックシャフト受け５５、プラグ側スライダ５６及びプラグ側バネ５７が取り付けられる。
【００７７】
ロックシャフト５４は先端が先細形状とされた円柱状をなし、その先端寄りの外周面には窪み５４ａが形成されている。窪み５４ａは底面が狭い断面台形状をなすものとされている。ロックシャフト５４の基端はやや小径とされ、その小径部分にねじ５４ｂが形成されている。ロックシャフト受け５５はコ字状をなし、そのコ字の中間部にはねじ穴５５ａが形成されている。プラグ側スライダ５６は円筒状をなし、その一端には小径部５６ａが設けられている。
【００７８】
ロックシャフト５４はそのねじ５４ｂがロックシャフト受け５５のねじ穴５５ａにねじ込まれてロックシャフト受け５５に取り付けられる。ロックシャフト受け５５は図２５Ｃに示したようにブラケット５２の中央突出部５２ｄ内に収容され、ロックシャフト５４は中央突出部５２ｄの長円切り欠き５２ｊを通ってプラグ５００の前方方向に突出される。
【００７９】
プラグ側スライダ５６はロックシャフト５４の回りに取り付けられてロックシャフト５４の先端側に位置され、このプラグ側スライダ５６とブラケット５２の仕切り板５２ｉとの間にはコイルバネよりなるプラグ側バネ５７が入れ込まれる。プラグ側スライダ５６はプラグ側バネ５７によって前方方向（レセプタクルとの接続方向）に押されている。なお、プラグ側スライダ５６はブラケット５２の一対の突起５２ｑ上に位置される。
【００８０】
上記のようにブラケット５２に各部品を取り付けた後、ブラケット５２の上面をリッド５３によって蓋することによってプラグ５００が完成する。
【００８１】
上記のような構成において、ハウジング５１及びパイプ５８は例えばアルミニウム合金製とされ、ブラケット５２、リッド５３、ロックシャフト５４、ロックシャフト受け５５、プラグ側スライダ５６及びプラグ側バネはそれぞれステンレス鋼製とされる。なお、ハウジング５１にはニッケルめっきが施される。
【００８２】
次に、上述したプラグ５００と嵌合されるレセプタクル６００の構成について説明する。
【００８３】
図２８及び２９はレセプタクル６００の構成を示したものであり、図３０〜３２はその構成部品（一部を除く）を示したものである。この例ではレセプタクル６００はハウジング６１と、ブラケット６２と、フローティングシャフト６３と、第１のタングロック６４と、タングロック受け６５と、第２のタングロック６６と、レセプタクル側スライダ６７と、レセプタクル側バネ６８と、４本のパイプ６９と、４つのＯリングと、４つのメス型部材とによって構成されている。なお、Ｏリング及びメス型部材の図示は省略している。メス型部材は第１の実施例と同様、ストーブリ社カタログ記載の流体カプラＣＧＯ  ０３／Ｃのソケットが使用される。
【００８４】
ハウジング６１は図３０に示したように平面コ字形状をなすブロックとされる。中央部（コ字の中間部）には大径の穴６１ａが貫通形成されている。中央部を挟む両側部には開口６１ｂがそれぞれ設けられており、ハウジング６１内には開口６１ｂにそれぞれ連通してメス型部材を収容する２つの収容穴６１ｃ（図２９Ｃ参照）が形成され、さらにこれら収容穴６１ｃに続いてハウジング６１の背面６１ｄに開口する穴６１ｅが形成されている。穴６１ｅの開口端にはＯリングが配置される凹部６１ｆが形成されている。
【００８５】
ブラケット６２は図３１に示したような形状とされ、底板部６２ａと上板部６２ｂと両側板部６２ｃ，６２ｄと背面板部６２ｅとを有する。側板部６２ｃ，６２ｄの前端には互いに外向きに突出されて突部６２ｆがそれぞれ形成されている。上板部６２ｂはＴ字形状をなし、Ｔ字の中央脚部が延長された形態で背面板部６２ｅが設けられている。背面板部６２ｅにはねじ穴６２ｇが形成されている。
【００８６】
図３２は第１のタングロック６４、タングロック受け６５、第２のタングロック６６及びレセプタクル側スライダ６７を中心軸を一致させ、各別に分解された状態として示したものである。
【００８７】
第１のタングロック６４は全体として円筒状をなし、一端側を除いて円筒が軸方向に分割されて複数のロック片６４ａが形成されているものとされる。この例では円筒が４つに分割されてロック片６４ａが４つ形成されている。ロック片６４ａは円筒の一端側の支持部６４ｂに支持された片持ち梁とされ、その基端側の半部は弾性変形容易なように肉薄とされている。ロック片６４ａの先端には内側に向けて突出する凸部６４ｃ（図２９Ｃ参照）が形成されている。なお、ロック片６４ａの先端面は内周側、外周側それぞれ面取りされてテーパ面６４ｄ，６４ｅが形成されている。また、凸部６４ｃの基端側にもテーパ面６４ｆ（図２９Ｃ参照）が形成されている。支持部６４ｂの内周面にはねじが形成されている。
【００８８】
タングロック受け６５は中央板部６５ａの両面に中心軸が一致されてねじ６５ｂ，６５ｃが突出形成された形状とされる。
【００８９】
第２のタングロック６６は全長が若干短い点を除いて第１のタングロック６４と同様の形状を有するものとされる。即ち、４つのロック片６６ａ、支持部６６ｂ、凸部６６ｃ、テーパ面６６ｄ，６６ｅ，６６ｆを有している。
【００９０】
レセプタクル側スライダ６７は円筒部６７ａと、円筒部６７ａの一端の互いに１８０°をなす位置から突出延長された断面円弧状をなす一対の突出片６７ｂと、円筒部６７ａの他端側に設けられた小径部６７ｃとよりなる。円筒部６７ａの他端側（小径部６７ｃ側）の内周面には全周に渡って段部６７ｄ（図２９Ｃ参照）が突出形成されている。
【００９１】
ハウジング６１には図示を省略しているが、４つの収容穴６１ｃにそれぞれ流体カプラのメス型部材が前述の第１の実施例と同様、収容されて取り付けられる。また、背面６１ｄの４つの凹部６１ｆにはＯリングが配置されて４本のパイプ６９が取り付けられる。
【００９２】
ハウジング６１はブラケット６２がなす枠内に後端側が収容され、開口６１ｂが位置する前端側はブラケット６２より突出される。
【００９３】
ブラケット６２の背面板部６２ｅの内面にはフローティングシャフト６３が取り付けられる。フローティングシャフト６３は円柱状をなし、その先端寄りの外周面には窪み６３ａが形成されている。窪み６３ａは底面が狭い断面台形状をなすものとされている。フローティング６３の基端はやや小径とされ、その小径部分にねじ６３ｂが形成されている。フローティングシャフト６３はそのねじ６３ｂが背面板部６２ｅのねじ穴６２ｇにねじ込まれてブラケット６２に取り付けられる。
【００９４】
一方、タングロック受け６５の一方のねじ６５ｂには第１のタングロック６４の支持部６４ｂが螺合されて取り付けられ、他方のねじ６５ｃには第２のタングロック６６の支持部６６ｂが螺合されて取り付けられる。これにより第１及び第２のタングロック６４，６６とタングロック受け６５は連結一体化される。
【００９５】
フローティングシャフト６３の回りにはコイルバネよりなるレセプタクル側バネ６８が配置され、さらにレセプタクル側スライダ６７が配置される。レセプタクル側スライダ６７は小径部６７ｃがフローティングシャフト６３の基端側とされてフローティングシャフト６３の回りに配置される。レセプタクル側バネ６８はレセプタクル側スライダ６７とブラケット６２の背面板部６２ｅとの間に入れ込まれた状態となり、レセプタクル側スライダ６７はレセプタクル側バネ６８によって前方方向（プラグ５００との接続方向）に押されている。なお、レセプタクル側バネ６８はプラグ側バネ５７よりも弱いものとされる。
【００９６】
フローティングシャフト６３の窪み６３ａには第２のタングロック６６の凸部６６ｃが係合され、これにより第１のタングロック６４及びタングロック受け６５と連結一体化された第２のタングロック６６がフローティングシャフト６３の先端側に配置される。
【００９７】
レセプタクル側スライダ６７の円筒部６７ａは図２９に示したようにハウジング６１の中央部の穴６１ａに挿入位置され、一対の突出片６７ｂはハウジング６１より突出される。レセプタクル側スライダ６７の内部には第１及び第２のタングロック６４，６６、タングロック受け６５及びフローティングシャフト６３の先端部が位置している。なお、タングロック受け６５はレセプタクル側スライダ６７の円筒部６７ａより前方に位置し、一対の突出片６７ｂが位置しない部分においてハウジング６１に固定されている。
【００９８】
上記のような構成において、ハウジング６１及びパイプ６９は例えばアルミニウム合金製とされ、ブラケット６２、フローティングシャフト６３、第１及び第２のタングロック６４，６６、タングロック受け６５、レセプタクル側スライダ６７及びレセプタクル側バネ６８はそれぞれステンレス鋼製とされる。なお、ハウジング６１にはニッケルめっきが施される。
【００９９】
レセプタクル６００はこの例では第１のタングロック６４からなる第１のロック機構を備え、この第１のロック機構の第１のタングロック６４はプラグ５００のロックシャフト５４に形成されている窪み５４ａに先端の凸部６４ｃがはまり込むことでプラグ５００との結合固定を担うものとなっている。
【０１００】
また、レセプタクル６００はフローティングシャフト６３の外周に形成された窪み６３ａと、第２のタングロック６６からなる第２のロック機構を備え、この第２のロック機構はブラケット６２に対してハウジング６１がプラグ５００との接続方向と反対方向に後退することを規制し、つまりレセプタクル６００のフローティング機構の作動を規制するものとなっている。
【０１０１】
次に、上述したプラグ５００とレセプタクル６００とよりなる流体カプラ装置の嵌合動作を図３３を参照して説明する。図３３は要部構成である第１のロック機構と第２のロック機構の動作を示したものであり、図３３Ａは嵌合前の状態（初期状態）を示す。初期状態ではレセプタクル６００の第２のタングロック６６のロック片６６ａの凸部６６ｃはフローティングシャフト６３の外周に形成された窪み６３ａにはまり込み、第２のタングロック６６に覆いかぶさっているレセプタクル側スライダ６７の段部６７ｄによってロック片６６ａは押さえられ、凸部６６ｃが窪み６３ａに固定されている。これにより、レセプタクル６００のハウジング６１は後退が規制されている。
【０１０２】
（１）プラグ５００をレセプタクル６００に挿入すると、プラグ５００のロックシャフト５４がレセプタクル６００の第１のタングロック６４内に入り、４つのロック片６４ａが外側に押し広げられる。ロックシャフト５４の外側に位置するプラグ側スライダ５６はこの押し広げられたロック片６４ａに突き当って前進が規制される（図３３Ｂ）。
【０１０３】
（２）プラグ５００の挿入を進めると、プラグ側バネ５７が縮んでロックシャフト５４のみが前進する（図３３Ｃ）。プラグ５００のハウジング５１はロックシャフト５４と共に前進する。
【０１０４】
（３）ハウジング５１が前進し、オス型部材とメス型部材の接続が完了した時点で、ロックシャフト５４の外周に形成された窪み５４ａに第１のタングロック６４のロック片６４ａの凸部６４ｃがはまり込む（図３３Ｄ）。これにより、プラグ側スライダ５６は規制が解除され、プラグ側バネ５７に押されて前進する。
【０１０５】
（４）プラグ側スライダ５６の前進により、第１のタングロック６４のロック片６４ａはプラグ側スライダ５６によって押さえられる。これにより第１のタングロック６４よりなる第１のロック機構はロック状態となり、プラグ５００のハウジング５１とレセプタクル６００のハウジング６１が結合固定される。プラグ側スライダ５６はレセプタクル側スライダ６７に突き当たり、レセプタクル側スライダ６７はプラグ側スライダ５６に押さえて後退する（図３３Ｅ）。
【０１０６】
（５）レセプタクル側スライダ６７の後退により、第２のタングロック６６のロック片６６ａの押さえが解除される。ロック片６６ａは変形可能となり、つまり第２のタングロック６６はフローティングシャフト６３の軸方向に変位可能となって第２のロック機構が解除される。レセプタクル６００のハウジング６１はブラケット６２に対して後退可能となり、結合されているプラグ５００のハウジング５１と共にフローティング状態となる。
【０１０７】
以上、この発明による流体カプラ装置の第１及び第２の実施例について説明したが、いずれもプラグとレセプタクルが結合し、流体カプラのオス型部材とメス型部材の接続が完了した後に、レセプタクルがフローティング状態となり、後退可能となっている。よって、この後退を利用すれば、流体カプラの接続と時間差をもって他のコネクタ等の接続を行うことができ、言い換えれば流体カプラ接続時の過大な力が加わることなく、他のコネクタ等の接続を行うことができる。従って、この発明による流体カプラ装置を用いれば、例えば光コネクタなどの大きな押し込み力に耐えられないコネクタとの併設、一括接続が可能となる。
【０１０８】
具体的に言えば、従来採用することができなかったドーターボード上に光コネクタと冷却水配管用の流体カプラを実装してバックボードに一括接続するといった方式を採用することが可能になり、光コネクタと流体カプラ装置のプラグを備えるドーターボードのインタフェース構造を実現することができる。光コネクタと流体カプラ装置のプラグとは、バックボードに取り付けられた流体カプラ装置のレセプタクルが第２のロック機構の解除により後退可能となった後に（フローティング状態となった後に）光コネクタの接続が行われるようにドーターボードに対する取り付け位置が選定される。
【０１０９】
なお、上述した実施例では流体カプラのオス型部材及びメス型部材として、ストーブリ社カタログ記載の流体カプラＣＧＯ  ０３／Ｃのプラグ、ソケットを用いているが、これに限るものではない。流体カプラとしては、オス型部材をメス型部材に押し込み、所定位置に達すると、流体締め切り機構が解除される構造を有する各種のものを用いることができる。
【符号の説明】
【０１１０】
１１  ハウジング                      １１ａ  前面
１１ｂ  開口                          １１ｃ  収容穴
１１ｄ  背面                          １１ｅ  穴
１１ｆ  凹部                          １１ｇ，１１ｈ  側壁
１１ｉ  窪み                          １１ｊ，１１ｋ  側壁
１１ｍ  凹部                          １１ｎ  溝
１１ｐ  幅広部                        １２  ブラケット
１２ａ  底板部                        １２ｂ，１２ｃ  側板部
１２ｄ  上板部                        １２ｅ，１２ｆ  ねじ穴
１２ｇ  窓                            １２ｈ  折り曲げ部
１３  プラグ側スライダ                １３ａ  平板部
１３ｂ  突出部                        １３ｃ  垂直突出部
１３ｄ  突部                          １３ｅ  穴
１３ｆ  幅広部                        １３ｇ  テーパ面
１４  プレート                        １４ａ  凹部
１５  プラグ側バネ                    １６  パイプ
１７  Ｏリング                        １８  オス型部材
２１  ハウジング                      ２１ａ  前面
２１ｂ  開口                          ２１ｃ  収容穴
２１ｄ  背面                          ２１ｅ  穴
２１ｆ  凹部                          ２１ｇ，２１ｈ  側壁
２１ｉ  隙間                          ２１ｊ  突出部
２１ｋ  穴                            ２１ｍ，２１ｎ  側壁
２１ｐ  窪み                          ２１ｑ  凹部
２１ｒ  溝                            ２１ｓ  底面
２１ｔ  ねじ穴                        ２１ｕ  凹部
２１ｖ  穴                            ２１ｗ  長穴
２２  ブラケット                      ２２ａ  底板部
２２ｂ  上板部                        ２２ｃ、２２ｄ  側壁
２２ｃ１，２２ｄ１  前方部            ２２ｃ２，２２ｄ２  中間部
２２ｃ３，２２ｄ３  後方部            ２２ｅ  取り付け部
２２ｆ  取り付け穴                    ２２ｇ  切り欠き
２２ｈ，２２ｉ  隙間                  ２２ｊ  穴
２２ｋ  フック                        ２２ｍ  長円穴
２３  レセプタクル側スライダ          ２３ａ  平板部
２３ｂ  突出部                        ２３ｃ  突部
２３ｄ  穴                            ２３ｅ  テーパ面
２４  プレート                        ２４ａ  凹部
２５  レセプタクル側バネ              ２６  バネ
２７  パイプ                          ２８  Ｏリング
２９  ガスケット                      ３１  第１のボール
３２  第２のボール                    ３３  ねじ
３４  メス型部材                      ４０  シャッタ機構
４１  固定板                          ４２  開閉板
４３  ピン                            ４４  ねじりコイルバネ
５１  ハウジング                      ５１ａ  前面
５１ｂ  開口                          ５１ｃ  収容穴
５１ｄ  背面                          ５１ｅ  穴
５１ｆ  凹部                          ５１ｇ，５１ｈ  溝
５２  ブラケット                      ５２ａ  底板部
５２ｂ，５２ｃ  側壁                  ５２ｄ  中央突出部
５２ｅ，５２ｆ  側板                  ５２ｇ  背面板
５２ｈ  突部                          ５２ｉ  仕切り板
５２ｊ  長円切り欠き                  ５２ｋ  突部
５２ｍ，５２ｎ  凹部                  ５２ｐ  延長部
５２ｑ  突起                          ５３  リッド
５４  ロックシャフト                  ５４ａ  窪み
５４ｂ  ねじ                          ５５  ロックシャフト受け
５５ａ  ねじ穴                        ５６  プラグ側スライダ
５６ａ  小径部                        ５７  プラグ側バネ
５８  パイプ                          ５９  ガスケット
６１  ハウジング                      ６１ａ  穴
６１ｂ  開口                          ６１ｃ  収容穴
６１ｄ  背面                          ６１ｅ  穴
６１ｆ  凹部                          ６２  ブラケット
６２ａ  底板部                        ６２ｂ  上板部
６２ｃ，６２ｄ  側板部                ６２ｅ  背面板部
６２ｆ  突部                          ６２ｇ  ねじ穴
６３  フローティングシャフト          ６３ａ  窪み
６３ｂ  ねじ                          ６４  第１のタングロック
６４ａ  ロック片                      ６４ｂ  支持部
６４ｃ  凸部                          ６４ｄ，６４ｅ，６４ｆ  テーパ面
６５  タングロック受け                ６５ａ  中央板部
６５ｂ，６５ｃ  ねじ                  ６６  第２のタングロック
６６ａ  ロック片                      ６６ｂ  支持部
６６ｃ  凸部                          ６６ｄ，６６ｅ，６６ｆ  テーパ面
６７  レセプタクル側スライダ          ６７ａ  円筒部
６７ｂ  突出片                        ６７ｃ  小径部
６７ｄ  段部                          ６８  レセプタクル側バネ
６９  パイプ                          １００  プラグ
２００  レセプタクル                  ３００  ドーターボード
４００  バックボード                  ５００  プラグ
６００  レセプタクル
【要約】
【課題】大きな押し込み力に耐えられない光コネクタなどとの併設、一括接続を可能とする流体カプラ装置を提供する。
【解決手段】レセプタクル２００は後退可能なフローティング機構を有し、レセプタクル側スライダ２３とプラグ１００との結合固定を担う第１のロック機構（第１のボール３１）と後退を規制する第２のロック機構（第２のボール３２、窪み２１ｐ）を備える。プラグ１００はプラグ側スライダ１３と窪み１１ｉを備える。プラグ１００をレセプタクル２００に挿入すると、プラグ側スライダ１３は第１のボール３１により前進が規制され、プラグ１００のハウジング１１のみが前進し、オス型部材１８とメス型部材３４の接続が完了すると第１のボール３１が窪み１１ｉにはまり込み、プラグ側スライダ１３が前進して第１のボール３１がロック状態となる。レセプタクル側スライダ２３はプラグ側スライダ１３に押されて後退し、第２のロック機構が解除される。
【選択図】図１８【図１】
0005405646.tif 000002
【図２】
0005405646.tif 000003
【図３】
0005405646.tif 000004
【図４】
0005405646.tif 000005
【図５】
0005405646.tif 000006
【図６】
0005405646.tif 000007
【図７】
0005405646.tif 000008
【図８】
0005405646.tif 000009
【図９】
0005405646.tif 000010
【図１０】
0005405646.tif 000011
【図１１】
0005405646.tif 000012
【図１２】
0005405646.tif 000013
【図１３】
0005405646.tif 000014
【図１４】
0005405646.tif 000015
【図１５】
0005405646.tif 000016
【図１６】
0005405646.tif 000017
【図１７】
0005405646.tif 000018
【図１８】
0005405646.tif 000019
【図１９】
0005405646.tif 000020
【図２０】
0005405646.tif 000021
【図２１】
0005405646.tif 000022
【図２２】
0005405646.tif 000023
【図２３】
0005405646.tif 000024
【図２４】
0005405646.tif 000025
【図２５】
0005405646.tif 000026
【図２６】
0005405646.tif 000027
【図２７】
0005405646.tif 000028
【図２８】
0005405646.tif 000029
【図２９】
0005405646.tif 000030
【図３０】
0005405646.tif 000031
【図３１】
0005405646.tif 000032
【図３２】
0005405646.tif 000033
【図３３】
0005405646.tif 000034